(57)【要約】【課題】本発明は、ケーブルラックの施工性を向上することを目的とする。【解決手段】ケーブルラック設置構造２０は、構造物１０の中間階１２Ｂに設けられる中間階支持架台３０Ｍと、中間階１２Ｂの下階１２Ａに設けられる下階支持架台３０Ｌと、中間階１２Ｂの上階１２Ｃに設けられる上階支持架台３０Ｕと、中間階支持架台３０Ｍと下階支持架台３０Ｌとに渡される下側ケーブルラック２２Ａと、下側ケーブルラック２２Ａと間隔Ｓを空けた状態で、中間階支持架台３０Ｍと上階支持架台３０Ｕとに渡される上側ケーブルラック２２Ｂと、を備える。【選択図】図１
2020005362.tif 000002
【特許請求の範囲】
【請求項１】
構造物の中間階に設けられる中間階支持架台と、
前記中間階の下階に設けられる下階支持架台と、
前記中間階の上階に設けられる上階支持架台と、
前記中間階支持架台と前記下階支持架台とに渡される下側ケーブルラックと、
前記下側ケーブルラックと間隔を空けた状態で、前記中間階支持架台と前記上階支持架台とに渡される上側ケーブルラックと、
を備えるケーブルラック設置構造。
【請求項２】
前記中間階支持架台は、
架台本体と、
前記架台本体に設けられ、前記下側ケーブルラックが取り付けられる下側取付部と、
前記架台本体における前記下側取付部よりも上側に設けられ、前記上側ケーブルラックが取り付けられる上側取付部と、
前記下側取付部と前記上側取付部との上下方向の間隔を変更する間隔調整部と、
を有する、
請求項１に記載のケーブルラック設置構造。
【請求項３】
前記中間階支持架台は、前記中間階の床部上に設けられ、
前記上階支持架台は、前記上階の床部上に設けられ、
前記上側ケーブルラックの全長は、前記中間階の階高よりも短くされる、
請求項１又は請求項２に記載のケーブルラック設置構造。
【請求項４】
構造物の中間階の中間階支持架台と前記中間階の下階の下階支持架台とに下側ケーブルラックを渡すとともに、前記下側ケーブルラックと間隔を空けた状態で、前記中間階支持架台と前記中間階の上階の上階支持架台とに上側ケーブルラックを渡す、
ケーブルラックの施工方法。
【請求項５】
架台本体と、
前記架台本体に設けられ、下側ケーブルラックが取り付けられる下側取付部と、
前記架台本体における前記下側取付部よりも上側に設けられ、上側ケーブルラックが取り付けられる上側取付部と、
前記下側取付部と前記上側取付部との上下方向の間隔を変更する間隔調整部と、
を備える支持架台。
【発明の詳細な説明】
【技術分野】
【０００１】
本発明は、ケーブルラック設置構造、ケーブルラックの施工方法、及び支持架台に関する。
【背景技術】
【０００２】
構造物の床部上に設置され、１本のケーブルラックを支持する支持架台が知られている（例えば、特許文献１〜３参照）。このケーブルラックには、電源ケーブルや通信ケーブル等の各種のケーブルを支持する。
【先行技術文献】
【特許文献】
【０００３】
【特許文献１】意匠登録第１０６５４５２号公報
【特許文献２】特開２０１２−０９５３９６号公報
【特許文献３】実用新案登録３２０７２９３号公報
【発明の概要】
【発明が解決しようとする課題】
【０００４】
ところで、高層ビル等の構造物では、複数のケーブルラックが直列に連結された状態で複数階に渡って配置される。この場合、複数のケーブルラックは、各階の床部上に設置された支持架台にそれぞれ支持される。また、隣り合うケーブルラックは、階の途中において、継ぎ金物等を介して直接連結される。
【０００５】
しかしながら、上記のように階の途中において、隣り合うケーブルラックを継ぎ金物等を介して直接連結する作業には手間がかかるため、施工性が低下する可能性がある。
【０００６】
また、同じ長さのケーブルラックを継ぎ金物等を介して直接連結して継ぎ足していくと、階によって、隣り合うケーブルラックの連結位置（床部から連結位置までの高さ）が変わるため、施工性がさらに低下する可能性がある。
【０００７】
本発明は、上記の事実を考慮し、ケーブルラックの施工性を向上することを目的とする。
【課題を解決するための手段】
【０００８】
請求項１に記載のケーブルラック設置構造は、構造物の中間階に設けられる中間階支持架台と、前記中間階の下階に設けられる下階支持架台と、前記中間階の上階に設けられる上階支持架台と、前記中間階支持架台と前記下階支持架台とに渡される下側ケーブルラックと、前記下側ケーブルラックと間隔を空けた状態で、前記中間階支持架台と前記上階支持架台とに渡される上側ケーブルラックと、を備える。
【０００９】
請求項１に係るケーブルラック設置構造によれば、構造物の中間階には、中間階支持架台が設けられる。また、構造物の中間階の下階には、下階支持架台が設けられる。さらに、構造物の中間階の上階には、上階支持架台が設けられる。
【００１０】
ここで、下側ケーブルラックは、中間階支持架台と下階支持架台とに渡される。また、上側ケーブルラックは、下側ケーブルラックと間隔を空けた状態で、中間階支持架台と上階支持架台とに渡される。つまり、下側ケーブルラックと上側ケーブルラックとは、上下方向に間隔を空けた状態で、中間階支持架台を介して連結される。
【００１１】
そのため、本発明では、下側ケーブルラックと上側ケーブルラックとを継ぎ金物等によって直接連結する必要がない。したがって、下側ケーブルラック及び上側ケーブルラックを直接連結する作業が省けて施工性が向上する。
【００１２】
また、例えば、中間階の階高が高い場合、上側ケーブルラックの長さが不足し、中間階支持架台と上階支持架台とに上側ケーブルラックを渡すことができなくなる可能性がある。この場合、中間階の途中において、継ぎ金物等により上側ケーブルラックを継ぐ必要がある。
【００１３】
これに対して本発明の上側ケーブルラックは、前述したように、下側ケーブルラックと間隔を空けた状態で、中間階支持架台と上階支持架台とに渡される。これにより、中間階の階高が高く、上側ケーブルラックの長さが不足する場合であっても、その不足分を中間階支持架台によって補うことができる。したがって、中間階支持架台と上階支持架台とに、上側ケーブルラックを渡すことができる。
【００１４】
請求項２に記載のケーブルラック設置構造は、請求項１に記載のケーブルラック設置構造において、前記中間階支持架台は、架台本体と、前記架台本体に設けられ、前記下側ケーブルラックが取り付けられる下側取付部と、前記架台本体における前記下側取付部よりも上側に設けられ、前記上側ケーブルラックが取り付けられる上側取付部と、前記下側取付部と前記上側取付部との上下方向の間隔を変更する間隔調整部と、を有する、
【００１５】
請求項２に係るケーブルラック設置構造によれば、中間階支持架台は、架台本体と、下側取付部と、上側取付部と、間隔調整部とを有する。架台本体には、下側取付部及び上側取付部が設けられる。下側取付部には、下側ケーブルラックが取り付けられる。一方、上側取付部は、架台本体における下側取付部よりも上側に設けられる。この上側取付部は、上側ケーブルラックが取り付けられる。
【００１６】
ここで、中間階支持架台は、下側取付部と上側取付部との上下方向の間隔を変更する間隔調整部を有する。これにより、例えば、中間階の階高が高く、上側ケーブルラックの長さが不足する場合であっても、間隔調整部によって側取付部と上側取付部との上下方向の間隔を広くすることで、上側ケーブルラックの長さの不足分を補うことできる。したがって、中間階支持架台と上階支持架台とに、上側ケーブルラックを渡すことができる。
【００１７】
請求項３に記載のケーブルラック設置構造は、請求項１又は請求項２に記載のケーブルラック設置構造において、前記中間階支持架台は、前記中間階の床部上に設けられ、前記上階支持架台は、前記上階の床部上に設けられ、前記上側ケーブルラックの全長は、前記中間階の階高よりも短くされる。
【００１８】
請求項３に係るケーブルラック設置構造によれば、中間階支持架台は、中間階の床部上に設けられ、上階支持架台は、上階の床部上に設けられる。
【００１９】
ここで、上側ケーブルラックの全長は、中間階の階高よりも短くされる。この場合、上側ケーブルラックの長さが不足し、中間階支持架台と上階支持架台とに上側ケーブルラックを渡すことができなくなる可能性がある。
【００２０】
これに対して本発明の上側ケーブルラックは、前述したように、下側ケーブルラックと間隔を空けた状態で、中間階支持架台と上階支持架台とに渡される。これにより、上側ケーブルラックの長さが不足する場合であっても、その不足分を中間階支持架台によって補うことができる。したがって、中間階支持架台と上階支持架台とに、上側ケーブルラックを渡すことができる。
【００２１】
請求項４に記載のケーブルラックの施工方法は、構造物の中間階の中間階支持架台と前記中間階の下階の下階支持架台とに下側ケーブルラックを渡すとともに、前記下側ケーブルラックと間隔を空けた状態で、前記中間階支持架台と前記中間階の上階の上階支持架台とに上側ケーブルラックを渡す。
【００２２】
請求項４に係るケーブルラックの施工方法によれば、構造物の中間階の中間階支持架台と、中間階の下階の下階支持架台とに下側ケーブルラックを渡す。また、上側ケーブルラックを下側ケーブルラックと間隔を空けた状態で、中間階支持架台と中間階の上階の上階支持架台とに渡す。つまり、下側ケーブルラックと上側ケーブルラックとは、上下方向に間隔を空けた状態で、中間階支持架台を介して連結される。
【００２３】
そのため、本発明では、下側ケーブルラックと上側ケーブルラックとを継ぎ金物等によって直接連結する必要がない。したがって、下側ケーブルラック及び上側ケーブルラックを直接連結する作業が省けて施工性が向上する。
【００２４】
また、例えば、中間階の階高が高い場合、上側ケーブルラックの長さが不足し、中間階支持架台と上階支持架台とに上側ケーブルラックを渡すことができなくなる可能性がある。この場合、中間階の途中において、継ぎ金物等により上側ケーブルラックを継ぐ必要がある。
【００２５】
これに対して本発明の上側ケーブルラックは、前述したように、下側ケーブルラックと間隔を空けた状態で、中間階支持架台と上階支持架台とに渡される。これにより、中間階の階高が高く、上側ケーブルラックの長さが不足する場合であっても、その不足分を中間階支持架台によって補うことができる。したがって、中間階支持架台と上階支持架台とに、上側ケーブルラックを渡すことができる。
【００２６】
請求項５に記載の支持架台は、架台本体と、前記架台本体に設けられ、下側ケーブルラックが取り付けられる下側取付部と、前記架台本体における前記下側取付部よりも上側に設けられ、上側ケーブルラックが取り付けられる上側取付部と、前記下側取付部と前記上側取付部との上下方向の間隔を変更する間隔調整部と、を備える。
【００２７】
請求項５に係る支持架台によれば、架台本体には、下側取付部及び上側取付部が設けられる。下側取付部には、下側ケーブルラックが取り付けられる。一方、上側取付部は、架台本体における下側取付部よりも上側に設けられる。この上側取付部は、上側ケーブルラックが取り付けられる。つまり、下側ケーブルラックと上側ケーブルラックとは、中間階支持架台を介して連結される。
【００２８】
そのため、本発明では、下側ケーブルラックと上側ケーブルラックとを継ぎ金物等によって直接連結する必要がない。したがって、下側ケーブルラック及び上側ケーブルラックを直接連結する作業が省けて施工性が向上する。
【００２９】
また、支持架台は、下側取付部と上側取付部との上下方向の間隔を変更する間隔調整部を有する。これにより、例えば、中間階の階高が高く、上側ケーブルラックの長さが不足する場合であっても、間隔調整部によって側取付部と上側取付部との上下方向の間隔を広くすることで、上側ケーブルラックの長さの不足分を補うことできる。したがって、中間階支持架台と上階支持架台とに、上側ケーブルラックを渡すことができる。
【発明の効果】
【００３０】
以上説明したように、本発明によれば、ケーブルラックの施工性を向上することができる。
【図面の簡単な説明】
【００３１】
【図１】一実施形態に係るケーブルラック設置構造が適用された構造物の下階、中間階、及び上階を模式的に示す立面図である。
【図２】図１に示される中間階を示す斜視図である。
【図３】図２に示される中間階支持架台を示す拡大斜視図である。
【図４】図２に示される中間階支持架台を示す側面図である。
【図５】図３に示される中間階支持架台を示す分解斜視図である。
【図６】図３に示される下側ケーブルラック、上側ケーブルラック、及び中間階支持架台を示す分解斜視図である。
【図７】比較例に係るケーブルラック設置構造の支持架台を示す図４に対応する側面図である。
【図８】一実施形態に係る中間階支持架台の変形例を示す分解斜視図である。
【図９】一実施形態に係る中間階支持架台の変形例を示す図５に対応する分解斜視図である。
【図１０】一実施形態に係る中間階支持架台の変形例を示す図５に対応する分解斜視図である。
【発明を実施するための形態】
【００３２】
以下、図面を参照しながら、一実施形態に係るケーブルラック設置構造について説明する。
【００３３】
（ケーブルラック設置構造）
図１には、本実施形態に係るケーブルラック設置構造２０が適用された構造物１０の下階１２Ａ、中間階１２Ｂ、及び上階１２Ｃが示されている。下階１２Ａ、中間階１２Ｂ、及び上階１２Ｃは、床部（床スラブ）１４をそれぞれ有している。なお、床部は、躯体の一例である。
【００３４】
ケーブルラック設置構造２０は、下側ケーブルラック２２Ａと、上側ケーブルラック２２Ｂと、下階支持架台３０Ｌと、中間階支持架台３０Ｍと、上階支持架台３０Ｕとを有している。
【００３５】
（下側ケーブルラック及び上側ケーブルラック）
下側ケーブルラック２２Ａ及び上側ケーブルラック２２Ｂは、上下方向に配線される電源ケーブルや通信ケーブル等の各種のケーブルを支持する縦型のケーブルラックとされており、構造物１０に縦にした状態（立てた状態）で設置される。
【００３６】
下側ケーブルラック２２Ａ及び上側ケーブルラック２２Ｂは、互いに対向する一対の親桁２４と、一対の親桁２４に架設され、図示しないケーブルが捕縛される複数の子桁２６とを有している。なお、下側ケーブルラック２２Ａの全長は、下階１２Ａの階高Ｈよりも短く、また、上側ケーブルラック２２Ｂの全長は、中間階１２Ｂの階高Ｈよりも短くなっている。
【００３７】
下側ケーブルラック２２Ａは、中間階１２Ｂの床部１４に形成されたラック用開口１６に上下方向に貫通されており、下階１２Ａと中間階１２Ｂとに渡っている。この下側ケーブルラック２２Ａは、下階１２Ａに設置された下階支持架台３０Ｌと、中間階１２Ｂに設置された中間階支持架台３０Ｍとに掛け渡される。
【００３８】
上側ケーブルラック２２Ｂは、上階１２Ｃの床部１４に形成されたラック用開口１６を上下方向に貫通されており、中間階１２Ｂと上階１２Ｃとに渡っている。この上側ケーブルラック２２Ｂは、中間階支持架台３０Ｍと、上階１２Ｃに設置された上階支持架台３０Ｕとに掛け渡される。
【００３９】
なお、本実施形態の下側ケーブルラック２２Ａ及び上側ケーブルラック２２Ｂは、同様の構成とされており、全長も同じ長さとされている。
【００４０】
（下階支持架台、中間階支持架台、上階支持架台）
下階支持架台３０Ｌ、中間階支持架台３０Ｍ、及び上階支持架台３０Ｕは、下階１２Ａ、中間階１２Ｂ、及び上階１２Ｃの床部１４上に設置されている。なお、下階支持架台３０Ｌ、中間階支持架台３０Ｍ、及び上階支持架台３０Ｕは、同様の構成とされている。したがって、以下では、中間階支持架台３０Ｍの構成について説明し、下階支持架台３０Ｌ及び上階支持架台３０Ｕの構成の説明は適宜省略する。
【００４１】
図１及び図２に示されるように、中間階支持架台３０Ｍは、中間階１２Ｂの床部１４に形成されたラック用開口１６の両側にそれぞれ設置される。この中間階支持架台３０Ｍは、下側ケーブルラック２２Ａの上端部、及び上側ケーブルラック２２Ｂの下端部を支持している。
【００４２】
図３及び図４に示されるように、中間階支持架台３０Ｍは、架台本体３２と、下側ブラケット６０Ａと、上側ブラケット６０Ｂとを有している。架台本体３２は、一対の支柱３４と、下側ブラケットベース４０Ａと、上側ブラケットベース４０Ｂとを有している。
【００４３】
図５に示されるように、一対の支柱３４は、断面Ｌ字状に形成されている。各支柱３４の下端部には、固定プレート３６が設けられている。固定プレート３６は、床部１４の上面１４Ａに載置され、固定アンカー３８（図３参照）によって床部１４に固定される。なお、固定プレート３６には、固定アンカー３８等が貫通される貫通孔３９が形成されている。
【００４４】
一対の支柱３４は、間隔を空けて配置される。この一対の支柱３４には、下側ブラケットベース４０Ａ及び上側ブラケットベース４０Ｂが架設される。下側ブラケットベース４０Ａは、上側ブラケットベース４０Ｂよりも下側に配置される。また、下側ブラケットベース４０Ａ及び上側ブラケットベース４０Ｂは、上下方向に間隔を空けた状態で、一対の支柱３４に架設される。
【００４５】
なお、本実施形態の下側ブラケットベース４０Ａ及び上側ブラケットベース４０Ｂは、同様の構成とされている。したがって、以下では、下側ブラケットベース４０Ａの構成について説明し、上側ブラケットベース４０Ｂの構成の説明は適宜省略する。
【００４６】
下側ブラケットベース４０Ａは、ベース部４２と、一対のフランジ部４４とを有している。ベース部４２は、一対の支柱３４の対向方向を長手方向とした板状に形成されており、一対の支柱３４の間に略水平に配置される。このベース部４２の長手方向の両端部には、一対のフランジ部４４が設けられる。
【００４７】
一対のフランジ部４４は、ベース部４２の長手方向の両端部から下方へ延出されている。各フランジ部４４は、支柱３４の内側面に重ねられた状態で、ボルト４６及びナット４７によって支柱３４に着脱可能に固定される。なお、フランジ部４４には、ボルト４６が貫通される貫通孔４８が形成されている。
【００４８】
（間隔調整部）
一対の支柱３４には、間隔調整部としての複数の調整孔５０が上下方向に間隔を空けて形成されている。各調整孔５０には、ボルト４６が挿入可能とされている。そして、ボルト４６を挿入する調整孔５０を変更することにより、支柱３４に対する下側ブラケットベース４０Ａの固定位置（固定高さ）が調整可能とされている。
【００４９】
これと同様に、ボルト４６を挿入する調整孔５０を変更することにより、一対の支柱３４に対する上側ブラケットベース４０Ｂの固定位置（固定高さ）も調整可能とされている。これにより、後述する下側ブラケット６０Ａと上側ブラケット６０Ｂとの上下方向の間隔Ｄ（図４参照）が調整可能とされている。
【００５０】
（下側ブラケット、上側ブラケット）
下側ブラケット６０Ａは、下側ブラケットベース４０Ａに固定される。この下側ブラケット６０Ａは、下側ケーブルラック２２Ａの上端部が取り付けられる下側取付部とされる。一方、上側ブラケット６０Ｂは、上側ブラケットベース４０Ｂに固定される。この上側ブラケット６０Ｂは、上側ケーブルラック２２Ｂの下端部が取り付けられる上側取付部とされる。
【００５１】
なお、本実施形態の下側ブラケット６０Ａ及び上側ブラケット６０Ｂは、同様の構成とされている。したがって、以下では、下側ブラケットベース４０Ａの構成について説明し、上側ブラケットベース４０Ｂの構成の説明は適宜省略する。また、下側ブラケット６０Ａは下側取付部の一例であり、上側ブラケット６０Ｂは、上側取付部の一例である。
【００５２】
下側ブラケット６０Ａは、フランジ部６１と、ブラケット本体部６２とを有している。フランジ部６１は、下側ブラケットベース４０Ａのベース部４２の上面にボルト６４及びナット６５によって固定される。なお、ベース部４２及びフランジ部６１には、貫通孔４３，６６がそれぞれ形成されている。
【００５３】
フランジ部６１の貫通孔６６は、下側ブラケットベース４０Ａの長手方向に延びる長孔とされている。そして、ボルト６４が、貫通孔６６内を下側ブラケットベース４０Ａの長手方向にスライド可能とされている。これにより、下側ブラケットベース４０Ａの長手方向に対する下側ブラケット６０Ａの固定位置が調整可能になっている。
【００５４】
なお、フランジ部６１の貫通孔６６と同様に、ベース部４２の貫通孔４３を長孔としても良い。また、貫通孔４３，６６は、長孔に限らず、円形状の貫通孔であっても良い。
【００５５】
図５に示されるように、ブラケット本体部６２は、フランジ部６１から立ち上げられている。また、ブラケット本体部６２は、断面Ｃ字形状に形成されており、その内部に下側ケーブルラック２２Ａの親桁２４の上端部が挿入可能とされている。このブラケット本体部６２には、ボルト６８及びナットによって親桁２４の上端部が取り付けられる（固定される）。ブラケット本体部６２及び親桁２４には、ボルト６８が貫通される貫通孔６９，７１がそれぞれ形成されている。
【００５６】
上側ブラケット６０Ｂには、ボルト６８及びナットによって上側ケーブルラック２２Ｂの親桁２４の下端部が取り付けられる。なお、上側ケーブルラック２２Ｂの親桁２４の下端部には、ボルト６８が貫通される貫通孔７１が形成されている。
【００５７】
（ケーブルラックの施工方法）
次に、ケーブルラックの施工方法の一例について説明する。
【００５８】
先ず、図３及び図４に示されるように、構造物１０の下階１２Ａ、中間階１２Ｂ、及び上階１２Ｃの床部１４にラック用開口１６を形成する。ラック用開口１６は、例えば、平面視にて矩形状の筒状体１８を床部１４に埋設することにより形成される。このラック用開口１６は、床部１４を上下方向（厚み方向）に貫通する貫通孔とされる。なお、ラック用開口１６の施工方法は、適宜変更可能である。
【００５９】
次に、図１に示されるように、下階１２Ａの床部１４上に一対の下階支持架台３０Ｌを設置する。一対の下階支持架台３０Ｌは、ラック用開口１６の両側に設置し、固定アンカー３８（図３参照）によって床部１４に固定する。これと同様に、中間階１２Ｂの床部１４の一対の中間階支持架台３０Ｍを設置するとともに、上階１２Ｃの床部１４に一対の上階支持架台３０Ｕを設置する。
【００６０】
次に、下側ケーブルラック２２Ａを下階支持架台３０Ｌと中間階支持架台３０Ｍとに渡す。具体的には、例えば、下階１２Ａから中間階１２Ｂの床部１４のラック用開口１６に下側ケーブルラック２２Ａを挿入する。そして、下側ケーブルラック２２Ａの下端部を下階支持架台３０Ｌの上側ブラケット６０Ｂに取り付けるとともに、下側ケーブルラック２２Ａの上端部を中間階支持架台３０Ｍの下側ブラケット６０Ａに取り付ける。
【００６１】
この際、下側ケーブルラック２２Ａの長さに応じて、下階支持架台３０Ｌの上側ブラケットベース４０Ｂ、及び中間階支持架台３０Ｍの下側ブラケットベース４０Ａの固定位置を適宜変更する。
【００６２】
次に、図４に示されるように、下側ケーブルラック２２Ａと間隔Ｓを空けた状態で、上側ケーブルラック２２Ｂを中間階支持架台３０Ｍと上階支持架台３０Ｕとに渡す。これにより、下側ケーブルラック２２Ａと上側ケーブルラック２２Ｂとを直線上に配列させる。
【００６３】
具体的には、例えば、中間階１２Ｂから上階１２Ｃの床部１４のラック用開口１６に上側ケーブルラック２２Ｂを挿入する。そして、上側ケーブルラック２２Ｂの下端部を中間階支持架台３０Ｍの上側ブラケット６０Ｂに取り付けるとともに、上側ケーブルラック２２Ｂの上端部を上階支持架台３０Ｕの下側ブラケット６０Ａに取り付ける。
【００６４】
この際、上側ケーブルラック２２Ｂの長さに応じて、中間階支持架台３０Ｍの上側ブラケットベース４０Ｂ、及び上階支持架台３０Ｕの下側ブラケットベース４０Ａの固定位置を適宜変更する。そして、中間階支持架台３０Ｍの下側ブラケット６０Ａと上側ブラケット６０Ｂとの上下方向の間隔Ｄを調整する。つまり、下側ケーブルラック２２Ａと上側ケーブルラック２２Ｂとの上下方向の間隔Ｓを調整する。
【００６５】
次に、下側ケーブルラック２２Ａの上端部と上側ケーブルラック２２Ｂの下端部とをボンド線（アース線）２８によって電気的に接続し、図示しない地面等に接地する。なお、ボンド線２８は、必要に応じて設ければ良く、適宜省略可能である。
【００６６】
次に、下側ケーブルラック２２Ａ及び上側ケーブルラック２２Ｂに沿って図示しないケーブルを配置し、当該ケーブルを下側ケーブルラック２２Ａ及び上側ケーブルラック２２Ｂの子桁２６に適宜捕縛する。
【００６７】
なお、上記の施工手順は変更可能であり、例えば、下側ケーブルラック２２Ａを設置してから上階支持架台３０Ｕを設置しても良い。また、例えば、上側ケーブルラック２２Ｂを設置してから下側ケーブルラック２２Ａを設置しても良い。
【００６８】
（効果）
次に、本実施形態の効果について説明する。
【００６９】
先ず、比較例に係るケーブルラック設置構造について説明する。
【００７０】
図７には、比較例に係るケーブルラック設置構造１００が適用された構造物１０の中間階１２Ｂ及び上階１２Ｃが示されている。このケーブルラック設置構造１００では、中間階１２Ｂ及び上階１２Ｃの床部１４上に設置された支持架台１０２に、ケーブルラック１０４がそれぞれ取り付けられている。
【００７１】
ここで、ケーブルラック設置構造１００では、中間階１２Ｂの途中で、上下に隣り合うケーブルラック１０４が継ぎ金物１０６を介して直接連結されている。しかしながら、中間階１２Ｂの途中において、隣り合うケーブルラック１０４を継ぎ金物１０６を介して直接連結する作業には、手間がかかる。特に、隣り合うケーブルラック１０４の連結位置が、作業者の手が届かない高所にある場合には、手間がかかる。そのため、ケーブルラック１０４の施工性が低下する可能性がある。
【００７２】
さらに、同じ長さのケーブルラック１０４を継ぎ金物１０６を介して直接連結して継ぎ足していくと、階によって、隣り合うケーブルラック１０４の連結位置（床部１４から連結位置までの高さ）が変わるため、ケーブルラック１０４の施工性がさらに低下する可能性がある。
【００７３】
また、同じ長さのケーブルラック１０４を継ぎ金物１０６を介して直接連結して継ぎ足していくと、階によって、支持架台１０２のブラケット９０１を取り付けるケーブルラック１０４の取付位置も変動する。そのため、階によって、ブラケット９０１用のボルト９０３を挿入するケーブルラック１０４のボルト孔９０２（貫通孔）の位置が変動する。このボルト孔９０２は、ケーブルラック１０４に予め形成しておく必要があるため、ボルト孔９０２の加工作業に手間がかかる。
【００７４】
これに対して本実施に係るケーブルラック設置構造２０によれば、図１に示されるように、下側ケーブルラック２２Ａは、中間階支持架台３０Ｍと下階支持架台３０Ｌとに渡される。また、図４に示されるように、上側ケーブルラック２２Ｂは、下側ケーブルラック２２Ａと間隔Ｓを空けた状態で、中間階支持架台３０Ｍと上階支持架台３０Ｕとに渡される。つまり、下側ケーブルラック２２Ａと上側ケーブルラック２２Ｂとは、上下方向に間隔Ｓを空けた状態で、中間階支持架台３０Ｍを介して連結される。
【００７５】
そのため、本実施形態では、下側ケーブルラック２２Ａと上側ケーブルラック２２Ｂとを継ぎ金物等によって直接連結する必要がない。したがって、下側ケーブルラック２２Ａ及び上側ケーブルラック２２Ｂを直接連結する作業が省けて施工性が向上する。
【００７６】
また、例えば、中間階１２Ｂの階高Ｈが高い場合、上側ケーブルラックの長さが不足し、中間階支持架台３０Ｍと上階支持架台３０Ｕとに上側ケーブルラックを渡すことができなくなる可能性がある。この場合、中間階１２Ｂの途中において、継ぎ金物等により上側ケーブルラックを継ぐ必要がある。
【００７７】
これに対して本実施形態の上側ケーブルラック２２Ｂは、前述したように、下側ケーブルラック２２Ａと間隔Ｓを空けた状態で、中間階支持架台３０Ｍと上階支持架台３０Ｕとに渡される。これにより、中間階１２Ｂの階高Ｈが高く、上側ケーブルラック２２Ｂの長さが不足する場合であっても、その不足分を中間階支持架台３０Ｍ（架台本体３２）によって補うことができる。したがって、中間階支持架台３０Ｍと上階支持架台３０Ｕとに、上側ケーブルラック２２Ｂを渡すことができる。
【００７８】
また、例えば、中間階支持架台３０Ｍは、下側ブラケットベース４０Ａ及び上側ブラケットベース４０Ｂの固定位置を変更可能な複数の調整孔５０を有している。これにより、例えば、上側ケーブルラック２２Ｂの長さが不足する場合であっても、現場において下側ブラケットベース４０Ａ及び上側ブラケットベース４０Ｂの固定位置を変更することで、下側ブラケット６０Ａと上側ブラケット６０Ｂとの間隔Ｄを広げることができる。
【００７９】
そして、下側ブラケット６０Ａと上側ブラケット６０Ｂとの間隔Ｄを広げると、下側ケーブルラック２２Ａと上側ケーブルラック２２Ｂとの上下方向の間隔Ｓ（取付間隔）が広がるため、上側ケーブルラック２２Ｂの長さの不足分を補うことができる。したがって、中間階支持架台３０Ｍと上階支持架台３０Ｕとに、上側ケーブルラック２２Ｂを渡すことができる。
【００８０】
また、中間階支持架台３０Ｍは、作業者の手が届く床部１４上に設置されている。そのため、中間階支持架台３０Ｍに下側ケーブルラック２２Ａ及び上側ケーブルラック２２Ｂを容易に取り付けることができる。さらに、下側ブラケット６０Ａと上側ブラケット６０Ｂとの間隔Ｄを容易に変更することができる。
【００８１】
（変形例）
次に、上記実施形態の変形例について説明する。
【００８２】
上記実施形態では、下側ブラケット６０Ａ及び上側ブラケット６０Ｂの上下方向の位置が調整可能とされるが、上記実施形態はこれに限らない。例えば、図８に示される変形例では、上側ブラケット６０Ｂの上下方向の位置のみが調整可能とされている。具体的には、中間階支持架台７０では、架台本体７２と、下側ブラケット６０Ａと、上側ブラケットベース８０と、上側ブラケット６０Ｂと、一対の連結部材９０とを有している。
【００８３】
架台本体７２は、互いに対向する一対の支柱部７４と、一対の支柱部７４の下端部に設けられた一対の固定プレート部７６と、一対の支柱部７４の上端部同士を接続するベース部７８とを有している。一対の支柱部７４には、後述するボルト９２が挿入される貫通孔７５が形成されている。また、ベース部７８には、下側ブラケット６０Ａが固定されている。
【００８４】
上側ブラケットベース８０は、枠状に形成されている。この上側ブラケットベース８０は、互い対向する一対の支柱部８２と、一対の支柱部８２の下端部同士を接続する下側連結部８４と、一対の支柱部８２の上端部同士を接続するベース部８６とを有している。一対の支柱部８２には、後述するボルト９２が挿入される貫通孔８３が形成されている。また、このベース部８６には、上側ブラケット６０Ｂが固定されている。
【００８５】
一対の連結部材９０は、架台本体７２と上側ブラケットベース８０とを連結する。この一対の連結部材９０は、断面Ｌ字状に形成されるとともに、上下方向を長手方向として配置されている。また、一対の連結部材９０の下部は、ボルト９２及びナット９３によって、架台本体７２の一対の支柱部７４に着脱可能に取り付けられる。一方、一対の連結部材９０の上部は、ボルト９２及びナット９３によって、上側ブラケットベース８０の一対の支柱部７４に取り付けられる。
【００８６】
ここで、一対の連結部材９０は、間隔調整部としての複数の調整孔９４が上下方向に間隔を空けて形成されている。各調整孔９４には、ボルト９２が挿入可能とされている。そして、ボルト９２を挿入する調整孔９４を変更することにより、一対の連結部材９０に対する上側ブラケットベース８０の固定位置（固定高さ）が調整可能とされている。これにより、下側ブラケット６０Ａと上側ブラケット６０Ｂとの上下方向の間隔Ｄが調整可能とされている。
【００８７】
このように間隔調整部は、下側ブラケット６０Ａに対する上側ブラケット６０Ｂの上下方向の位置を調整可能に構成されても良い。また、図示を省略するが、間隔調整部は、上側ブラケット６０Ｂに対する下側ブラケット６０Ａの上下方向の位置を調整可能に構成されても良い。つまり、間隔調整部は、下側取付部及び上側取付部の少なくとも一方の上下方向の位置を調整可能に構成することができる。
【００８８】
また、図９に示される変形例では、間隔調整部としての複数の調整孔１１４が上側ブラケット１１０にも形成されている。具体的には、上側ブラケット１１０のブラケット本体部１１２には、複数の調整孔１１４が上下方向に間隔を空けて形成されている。各調整孔１１４には、ボルト１１６が挿入可能とされている。そして、ボルト１１６を挿入する調整孔１１４を変更することにより、上側ブラケット１１０に対する上側ケーブルラック２２Ｂの下端部の取付位置が調整可能とされている。
【００８９】
ここで、本変形例では、上側ケーブルラック２２Ｂが取り付けられた上側ブラケット１１０の部位が上側取付部となる。したがって、ボルト１１６を挿入する調整孔１１４を変更することにより、下側取付部（下側ブラケット６０Ａ）と上側取付部との上下方向の間隔Ｄを変更することができる。
【００９０】
なお、図９に示されるように、ブラケット本体部１１２の高さ（全長）が異なる複数の上側ブラケット１１０，１２０を用意しておき、上側ケーブルラック２２Ｂの不足分に応じて上側ブラケット１１０，１２０の何れかを選択し、上側ブラケットベース８０に固定することも可能である。
【００９１】
次に、上記実施形態では、下側ブラケット６０Ａが下側取付部とされ、上側ブラケット６０Ｂが上側取付部とされるが、上記実施形態はこれに限らない。例えば、図１０に示される変形例では、中間階支持架台３０Ｍに固定された１つのブラケット１３０に下側取付部１３０Ａ及び上側取付部１３０Ｂが設けられている。
【００９２】
具体的には、中間階支持架台３０Ｍは、ブラケット（長尺ブラケット）１３０を備える。ブラケット１３０は、断面Ｃ字形状に形成されており、上下方向を長手方向として配置されている。このブラケット１３０の下部には、ボルト１３２によって下側ケーブルラック２２Ａの上端部が取り付けられる。一方、ブラケット１３０の上部には、ボルト１３２によって、上側ケーブルラック２２Ｂの下端部が取り付けられる。この際、上側ケーブルラック２２Ｂは、下側ケーブルラック２２Ａと上下方向に間隔Ｓを空けて配置される。
【００９３】
ブラケット１３０には、間隔調整部としての複数の調整孔１３４が上下方向に間隔を空けて形成されている。各調整孔１３４には、ボルト１３２が挿入可能とされている。そして、ボルト１３２を挿入する調整孔１３４を変更することにより、ブラケット１３０に対する下側ケーブルラック２２Ａ及び上側ケーブルラック２２Ｂの取付位置が調整可能とされている。
【００９４】
ここで、本変形例では、下側ケーブルラック２２Ａが取り付けられたブラケット１３０の部位が下側取付部とされ、上側ケーブルラック２２Ｂが取り付けられたブラケット１３０の部位が上側取付部とされる。そのため、ボルト１３２を挿入する調整孔１３４を変更することにより、下側取付部と上側取付部との上下方向の間隔Ｄを変更することができる。つまり、下側ケーブルラック２２Ａと上側ケーブルラック２２Ｂとの上下方向の間隔Ｓを変更することができる。
【００９５】
また、上記実施形態では、中間階支持架台３０Ｍが間隔調整部を備えるが、上記実施形態はこれに限らない。中間階支持架台３０Ｍは、上下方向に間隔Ｄを空けて配置される下側取付部及び上側取付部を少なくとも備えていれば良く、間隔調整部は適宜省略可能である。
【００９６】
また、上記実施形態では、下側ケーブルラック２２Ａ、及び上側ケーブルラック２２Ｂの幅方向の両側に中間階支持架台３０Ｍがそれぞれ配置されるが、上記実施形態はこれに限らない。例えば、下側ケーブルラック２２Ａ、及び上側ケーブルラック２２Ｂの厚み方向の両側又は片側に中間階支持架台３０Ｍが設置されても良い。
【００９７】
また、上記実施形態では、中間階支持架台３０Ｍが床部１４の上面４０Ｕに固定されるが、上記実施形態はこれに限らない。中間階支持架台３０Ｍは、例えば、床部１４の下面に固定されても良いし、梁や柱、壁等の躯体に固定されても良い。
【００９８】
また、上記実施形態では、下階支持架台３０Ｌ、中間階支持架台３０Ｍ、及び上階支持架台３０Ｕが同じ構成とされるが、下階支持架台３０Ｌ、中間階支持架台３０Ｍ、及び上階支持架台３０Ｕの構成は異なっていても良い。
【００９９】
これと同様に、上記実施形態では、下側ケーブルラック２２Ａ、及び上側ケーブルラック２２Ｂが同じ構成とされるが、下側ケーブルラック２２Ａ、及び上側ケーブルラック２２Ｂの構成は異なっていても良い。
【０１００】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【０１０１】
１０      構造物
１２Ａ    下階
１２Ｂ    中間階
１２Ｃ    上階
１４      床部
２０      ケーブルラック設置構造
２２Ａ    下側ケーブルラック
２２Ｂ    上側ケーブルラック
３０Ｌ    下階支持架台
３０Ｍ    中間階支持架台
３０Ｕ    上階支持架台
３２      架台本体
５０      調整孔（間隔調整部）
６０Ａ    下側ブラケット（下側取付部）
６０Ｂ    上側ブラケット（上側取付部）
７０      中間階支持架台
７２      架台本体
９４      調整孔（間隔調整部）
１１０    上側ブラケット（上側取付部）
１１４    調整孔（間隔調整部）
１２０    上側ブラケット（上側取付部）
１３０Ａ  下側取付部
１３０Ｂ  上側取付部
１３４    調整孔（間隔調整部）
Ｈ        階高（中間階の階高）
Ｓ        間隔
【図１】
2020005362.tif 000003
【図２】
2020005362.tif 000004
【図３】
2020005362.tif 000005
【図４】
2020005362.tif 000006
【図５】
2020005362.tif 000007
【図６】
2020005362.tif 000008
【図７】
2020005362.tif 000009
【図８】
2020005362.tif 000010
【図９】
2020005362.tif 000011
【図１０】
2020005362.tif 000012